(57)【要約】【課題】テレビ受信機に遠隔地から文字入力する際、リモートコントローラを用いて、一字ずつ入力いなくてはならず、面倒であった。【解決手段】テレビ受信機と携帯端末機器から構成される文字入力システムであって、前記携帯端末機器は、インターネット情報を表示する第１の表示手段と、使用者からの入力情報を受け付ける入力受付手段と、前記入力受付手段が前記入力情報として文字列抜出要求を受け付けた場合に、前記第１の表示手段が表示した前記インターネット情報から所望の文字列を抜き出す文字列抜出手段と、前記文字列抜出手段が抜き出した前記文字列を送信する送信手段とを備え、前記テレビ受信機は、前記送信手段が送信した前記文字列を受信する受信手段と、前記受信手段が受信した前記文字列を表示する第２の表示手段とを備える。【選択図】図２
2006013560.tif 000002
【特許請求の範囲】
【請求項１】
テレビ受信機と携帯端末機器から構成される文字入力システムであって、前記携帯端末機器は、インターネット情報を表示する第１の表示手段と、使用者からの入力情報を受け付ける入力受付手段と、前記入力受付手段が前記入力情報として文字列抜出要求を受け付けた場合に、前記第１の表示手段が表示した前記インターネット情報から所望の文字列を抜き出す文字列抜出手段と、前記文字列抜出手段が抜き出した前記文字列を送信する送信手段とを備え、前記テレビ受信機は、前記送信手段が送信した前記文字列を受信する受信手段と、前記受信手段が受信した前記文字列を表示する第２の表示手段とを備えることを特徴とする文字入力システム。
【請求項２】
前記携帯端末機器は、記録媒体への読出し／書込みを制御する記録媒体制御手段を更に備え、前記記録媒体制御手段は、前記入力受付手段が前記入力情報として文字列書込み要求を受け付けた場合に、前記文字列抜出手段が抜き出した前記文字列を前記記録媒体へ書き込むことを特徴とする請求項１記載の文字入力システム。
【請求項３】
前記携帯端末機器は、前記入力受付手段が前記入力情報として文字列読み出し要求を受け付けた場合に、前記記録媒体制御手段は、前記記録媒体が記録した文字列情報を前記第１の表示手段に表示させることを特徴とする請求項２記載の文字入力システム。
【発明の詳細な説明】
【技術分野】
【０００１】
本発明は、テレビ受信機への文字入力が容易な文字入力システムに関するものである。
【背景技術】
【０００２】
テレビ受信機への文字入力システムの中で、テレビ受信機専用のリモートコントローラは、遠隔地から入力でき、また小型である利点がある。さらに、そのリモートコントローラには複数の文字ボタンが設けられており、その各々ボタンに対応させた文字コードを保有し、ボタンが押下される度に、対応する文字コードを取得して、テレビ受信機の表示部に表示させる。しかしながら、従来のテレビ受信機専用のリモートコントローラは、文字入力の操作を１字ずつ行わなければならず、複数の文字を入力する場合はボタンを押す回数も増え、慣れなければ手間がかかり操作しにくい欠点があった。
【０００３】
そこで、テレビ受信機専用のリモートコントローラではなく、携帯端末機器での文字入力を可能とした携帯端末リモコン装置が公知である（例えば、特許文献１参照）。
【特許文献１】特開２００２−０７８０４２号公報
【発明の開示】
【発明が解決しようとする課題】
【０００４】
しかしながら、上記従来の携帯端末リモコン装置においても、やはり、使用者は文字列を入力する際は、複数のボタンを操作しなくてはならず、手間がかかっていた。また、視聴したいテレビ番組を検索できる機能が付属しているテレビ受信機の場合、使用者の好きな文字を入力することで、その文字がキーワードとなりテレビ番組を検索することを可能とするが、その検索においても、より詳細な検索を行うためには、使用者が想像しないようなより多くの語彙が必要となる。そのためには、使用者は辞書を調べなければならなかった。
【０００５】
本発明は上記事情に鑑みてなされたもので、本発明の文字入力システムは、携帯端末機器でインターネットに接続し、インターネットから受信したデータから文字列を抜き出し、表示出力処理部で取得した文字列を文字コードに変換し、その文字コードをテレビ受信機に送り、テレビ受信機側での表示を可能とした文字入力システムを提供することを目的とする。
【課題を解決するための手段】
【０００６】
本発明の請求項１に係る文字入力システムは、テレビ受信機と携帯端末機器から構成される文字入力システムであって、前記携帯端末機器は、インターネット情報を表示する第１の表示手段と、使用者からの入力情報を受け付ける入力受付手段と、前記入力受付手段が前記入力情報として文字列抜出要求を受け付けた場合に、前記第１の表示手段が表示した前記インターネット情報から所望の文字列を抜き出す文字列抜出手段と、前記文字列抜出手段が抜き出した前記文字列を送信する送信手段とを備え、前記テレビ受信機は、前記送信手段が送信した前記文字列を受信する受信手段と、前記受信手段が受信した前記文字列を表示する第２の表示手段とを備えることを特徴とする。
【０００７】
また、本発明の請求項２に係る文字入力システムは、請求項１記載の文字入力システムの構成において、前記携帯端末機器は、記録媒体への読出し／書込みを制御する記録媒体制御手段を更に備え、前記記録媒体制御手段は、前記入力受付手段が前記入力情報として文字列書込み要求を受け付けた場合に、前記文字列抜出手段が抜き出した前記文字列を前記記録媒体へ書き込むことを特徴とする。
【０００８】
また、本発明の請求項３に係る文字入力システムは、請求項２記載の文字入力システムの構成において、前記携帯端末機器は、前記入力受付手段が前記入力情報として文字列読み出し要求を受け付けた場合に、前記記録媒体制御手段は、前記記録媒体が記録した文字列情報を前記第１の表示手段に表示させることを特徴とする。
【発明の効果】
【０００９】
本発明の文字入力システムによれば、使用者が携帯端末機器を用いてテレビ受信機へ文字入力を行う際、インターネットからの文字列の抜き出しを可能とする携帯端末機器を用いることで、使用者のボタン操作が少なくテレビ受信機に文字列を表示させることができ、手間を軽減させることができる。
【発明を実施するための最良の形態】
【００１０】
（実施の形態１）
図１は、本発明の実施の形態１における文字入力システムの外観を示す図である。図１において、符号１０１はテレビ受信機、符号１０２は信号受信部、符号１０３は携帯端末機器、符号１０４はボタン入力部を示す。
【００１１】
文字入力システムは、テレビ受信機１０１と携帯端末機器１０３から構成されている。テレビ受信機１０１の前面パネルの一部には携帯端末機器１０３からの通信信号を受信するための信号受信部１０２が設けられている。携帯端末機器１０３には、文字の入力も兼ねるボタン入力部１０４が設けられている。携帯端末機器１０３からテレビ受信機１０１への信号は、一般に赤外線が多用されているが、無線信号でもよい。また、携帯端末機器１０３は、携帯電話が考えられるが、インターネットに接続可能なテレビ受信機専用リモートコントローラでもよい。
【００１２】
図２は、本発明の実施の形態１における文字入力システムの構成図である。図２において、符号１０１はテレビ受信機、符号１０３は携帯端末機器、符号２０１はマイコン、符号２０２はデータ処理部、符号２０３は入力処理部、符号２０４は表示出力処理部、符号２０５は信号変換部、符号２０６は表示装置、符号２０７は信号出力装置、符号２０８はマイコン、符号２０９は信号受信部、符号２１０は入力制御部、符号２１１はチューナ、符号２１２は表示装置、符号ＡＣはインターネット等からのデータ、符号ＢＣは使用者のボタン入力、符号ＤＣは通信信号を示す。
【００１３】
携帯端末機器１０３において、マイコン２０１はデータ処理部２０２と入力処理部２０３と表示出力処理部２０４と信号変換部２０５を含む。データ処理部２０２はインターネット等から受信したデータＡＣを受け、入力処理部２０３は使用者のボタン操作によるボタン入力ＢＣを受ける。表示出力処理部２０４はデータ処理部２０２からのデータＡＣを文字列データに変換して表示装置２０６へ送るとともに、入力処理部２０３からのボタン入力ＢＣによって抜き出された文字列を文字列データに変換して信号変換部２０５へ送る。信号変換部２０５は、表示出力処理部２０４からの文字列データを通信信号に変換する。表示装置２０６は表示出力処理部２０４からの文字列データを表示する。信号出力装置２０７は、信号変換部２０５からの通信信号を通信信号ＤＣとしてテレビ受信機１０１へ送信する。
【００１４】
テレビ受信機１０１において、マイコン２０８は信号受信部２０９と入力制御部２１０を含む。信号受信部２０９は通信信号ＤＣを受信して解読し、入力制御部２１０は、信号受信部２０９において解読された通信信号を文字列コードへ変換する。チューナ２１１はアンテナから映像を受信し、表示装置２１２は、入力制御部２１０からの文字列コードとチューナ２１１からの映像を合成表示する。
【００１５】
さて、従来の技術では、テレビ受信機に文字を表示する際、何度もボタン操作が必要だったため、使用者に手間がかかり、不快感をあたえている場合があった。
【００１６】
上記の問題点を回避するためには、ボタン操作を複数回行い、文字を入力するのではなく、リモートコントローラに代わり携帯端末機器をインターネットに接続し、文字列データを取得して入力できればよい。以下に、その一例を示す。
【００１７】
まず、使用者がテレビ受信機１０１に文字を入力する場合は以下の２つの場合が考えられる。１つ目は、視聴したいテレビ番組を検索できる機能が付属しているテレビ受信機１０１の場合で、使用者の好きな文字を入力することで、その文字がキーワードとなりテレビ番組を検索することを可能とする機能を使う場合である（以下、キーワード検索と略す）。２つ目は、録画した番組に好きなタイトルを保存できる機能が付属するテレビ受信機１０１の場合で、使用者の好きな文字を入力することで、タイトルを作成することが可能となる場合である。入力方法としては、前者の場合も後者の場合も同じであるため、ここでは前者を例に挙げて、以下に本発明の実施の形態１の処理を説明する。
【００１８】
使用者がキーワード検索を行おうとした場合、まず、携帯端末機器１０３において、通信制御部（図示せず）を用いてインターネットに接続する。インターネットに接続すると、受信したデータＡＣがデータ処理部２０２から表示出力処理部２０４に送られ、表示装置２０６に表示される。ここで、表示装置２０６に表示された文章の一部に「ベースボール」と表示されたとする。使用者はこの文字列を抜き出すため、携帯端末機器１０３のボタン入力部１０４を使って文字列選択操作を開始し、選択中の文字列をボタン入力ＢＣとして、入力処理部２０３を介して表示出力処理部２０４に出力する。そして、携帯端末機器１０３のボタン入力部１０４を使って文字列抜き出し完了操作を行い、選択中の文字列を確定し、この確定した文字列を信号変換部２０５、信号出力装置２０７を介し通信信号ＤＣとしてテレビ受信機１０１へ送信する。
【００１９】
テレビ受信機１０１は、信号受信部２０９で通信信号ＤＣを受け、入力制御部２１０で通信信号ＤＣを表示できる文字列コードへ変換する。変換する際は、携帯端末機器１０３の文字コード変換テーブルと同様の変換テーブルをテレビ受信機１０１側も持つ必要があり、その文字コード変換テーブルをもとに変換作業を行う。変換された文字列は、表示装置２１２でチューナ２１１からの映像に合成表示させる。使用者は、合成表示された文字列「ベースボール」をもとに、キーワード検索を実施することが可能となる。
【００２０】
図３は本発明の実施の形態１における携帯端末機器１０３の全体処理を示すフロー図である。以下に本処理の流れを示す。
【００２１】
最初に、インターネット接続処理（Ｓ３０１）でインターネットとの接続を行ない、接続があれば、インターネット情報表示処理（Ｓ３０２）で携帯端末機器１０３の画面へ表示を行なう。次に、文字抜き出し処理（Ｓ３０３）で、インターネット情報が表示されていれば、その情報から文字の抜き出し処理を行なう。次に、通信信号変換処理（Ｓ３０４）で、テレビ受信機１０１へ送信するための通信信号に変換する。
【００２２】
図４は本発明の実施の形態１における携帯端末機器１０３の文字抜き出し処理のフロー図である。以下に本処理の流れを示す。
【００２３】
まず、携帯端末機器１０３のボタン操作がされたかどうかを調べる（Ｓ３０５）。ボタン操作があったならば（Ｓ３０５で「はい」）、文字列の選択を開始するボタンが押されたのかどうかを確認する（Ｓ３０６）。開始ボタンが押された場合は（Ｓ３０６で「はい」）、ボタンの入力待ちを行ない（Ｓ３０７）、文字列の選択を終了するボタンが押されたのかどうかを確認する（Ｓ３０８）。終了ボタンが押された場合は（Ｓ３０８で「はい」）、文字列の確定を実行し（Ｓ３０９）、通信信号変換処理へ進む。一方、終了ボタンが押されなかった場合は（Ｓ３０８で「いいえ」）、再度ボタンの入力待ちを行なう（Ｓ３０７）。
【００２４】
（実施の形態２）
本発明の実施の形態２は、実施の形態１の構成において、インターネットで取得した文字列をメモリーカードへ記録させる機能と、使用者が必要とする文字を記録させてあるメモリーカードから読み出す機能を付加した形態である。
【００２５】
図５は、本発明の実施の形態２における文字入力システムの外観を示す図である。図５において、符号１０１はテレビ受信機、符号１０２は信号受信部、符号１０３は携帯端末機器、符号１０４はボタン入力部、符号１０５はメモリーカード挿入部、符号１０６はメモリーカードを示す。
【００２６】
文字入力システムは、テレビ受信機１０１と携帯端末機器１０３とメモリーカード１０６から構成されている。テレビ送信機１０１の前面パネルの一部には携帯端末機器１０３からの信号を受信するための信号受信部１０２が設けられている。携帯端末機器１０３には、文字の入力も兼ねるボタン入力部１０４とメモリーカード挿入部１０５が設けられている。携帯端末機器１０３からテレビ受信機１０１への信号は、一般に赤外線が多用されているが、無線信号でもよい。携帯端末機器１０３は、携帯電話が考えられるが、インターネットに接続可能なテレビ受信機専用リモートコントローラでもよい。また、メモリーカード１０６は一般にＳＤカードやマルチメディアカード、ＭｉｎｉＳＤカードが多用されている。
【００２７】
図６は、本発明の実施の形態２における文字入力システムの構成図である。図６において、符号１０１はテレビ受信機、符号１０３は携帯端末機器、符号２０１はマイコン、符号２０２はデータ処理部、符号２０３は入力処理部、符号２０４は表示出力処理部、符号２０５は信号変換部、符号２０６は表示装置、符号２０７は信号出力装置、符号２０８はマイコン、符号２０９は信号受信部、符号２１０は入力制御部、符号２１１はチューナ、符号２１２は表示装置、符号２１３はメモリーカード装置、符号２１４は、符号ＡＣはインターネット等からのデータ、符号ＢＣは使用者のボタン入力、符号ＤＣは通信信号、符号ＥＣはメモリーカードに記録されたデータを示す。
【００２８】
携帯端末機器１０３において、メモリーカード装置２１３はメモリーカード１０６に記録されたデータＥＣの読み書きを行う。マイコン２０１はメモリーカード処理部２１４とデータ処理部２０２と入力処理部２０３と表示出力処理部２０４と信号変換部２０５を含む。メモリーカード処理部２１４はメモリーカード装置２１３を介し、メモリーカード１０６へのデータＥＣの読み書きを制御し、データ処理部２０２はインターネット等からのデータＡＣを受け、入力処理部２０３は使用者のボタン操作によるボタン入力ＢＣを受ける。表示出力処理部２０４はデータ処理部２０２からのデータＡＣを文字列データに変換して表示装置２０６へ送るとともに、入力処理部２０３からのボタン入力ＢＣによって抜き出された文字列を文字列データに変換して、信号変換部２０５へ送る。また、メモリーカード処理部２１４に対して、入力処理部２０３にて抜き出され変換された文字列データを送り、更には、メモリーカード処理部２１４からのデータＥＣを文字列データに変換して、信号変換部２０５へ送る。表示装置２０６は表示出力処理部２０４からの文字列データを表示する。信号出力装置２０７は、信号変換部２０５からの通信信号を通信信号ＤＣとしてテレビ受信機１０１へ送信する。
【００２９】
テレビ受信機１０１において、マイコン２０８は信号受信部２０９と入力制御部２１０を含む。信号受信部２０９は通信信号ＤＣを受信して解読し、入力制御部２１０は、信号受信部２０９において解読された通信信号を文字列コードへ変換する。チューナ２１１はアンテナから映像を受信し、表示装置２１２は、入力制御部２１０からの文字列コードと映像を合成表示する。
【００３０】
ここで、使用者がキーワード検索を行おうとした場合で、かつ、インターネットから取得したデータをメモリーカード１０６へ記録させる動作について説明する。
【００３１】
使用者は、携帯端末機器１０３において、通信制御部（図示せず）を用いてインターネットに接続する。インターネットに接続すると、受信したデータＡＣがデータ処理部２０２から表示出力処理部２０４に送られ、表示装置２０６に表示される。ここでは、表示装置２０６に表示された文章の一部に「ベースボール」と表示されたとする。使用者はこの文字列を抜き出すため、携帯端末機器１０３のボタン入力部１０４を使って文字列選択操作を開始し、選択中の文字列をボタン入力ＢＣとして、入力処理部２０３を介して表示出力処理部２０４に出力する。そして、携帯端末機器１０３のボタン入力部１０４を使って文字列抜き出し完了操作を行い、選択中の文字列を確定する。使用者はメモリーカード１０６に選択した文字列を記録させるため、記録を実行させるボタンを押す。このボタン入力ＢＣが入力処理部２０３から表示出力処理部２０４へ送られ、表示出力処理部２０４は確定した文字列をメモリーカード処理部２１４へ送り、メモリーカード装置２１３を介してメモリーカード１０６に記録させる。ここでは記録する媒体としてメモリーカード１０６を使用しているが、携帯端末機器１０３の記憶領域への記録であってもよい。
【００３２】
図７は、本発明の実施の形態２における携帯端末機器１０３のメモリーカード１０６への書き込みを行なう際の全体処理を示すフロー図である。以下に本処理の流れを示す。
【００３３】
最初に、インターネット接続処理（Ｓ３０１）でインターネットとの接続を行ない、接続があれば、インターネット情報表示処理（Ｓ３０２）で携帯端末機器１０３の画面表示を行なう。次に、文字抜き出し処理（Ｓ３０３）で、インターネット情報が表示されていれば、その情報から文字の抜き出し処理を行なう。次に、メモリーカード１０６への書き込み処理（Ｓ３１０）で、メモリーカード１０６へのデータの書き込みを行なう。
【００３４】
図８は、本発明の実施の形態２における携帯端末機器１０３のメモリーカード１０６への書き込みを行なう際の文字抜き出し処理のフロー図である。以下に本処理の流れを示す。
【００３５】
まず、携帯端末機器１０３のボタン操作がされたかどうかを調べる（Ｓ３０５）。ボタン操作があったならば（Ｓ３０５で「はい」）、文字列の選択を開始するボタンが押されたのかどうかを確認する（Ｓ３０６）。開始ボタンが押された場合は（Ｓ３０６で「はい」）、ボタンの入力待ちを行ない（Ｓ３０７）、文字列の選択を終了するボタンが押されたのかどうかを確認する（Ｓ３０８）。終了ボタンが押された場合は（Ｓ３０８で「はい」）、文字列の確定を実行し（Ｓ３０９）、メモリーカード１０６への書き込み処理へ進む。一方、終了ボタンが押されなかった場合は（Ｓ３０８で「いいえ」）、再度ボタンの入力待ちを行う（Ｓ３０７）。
【００３６】
次に、使用者がキーワード検索を行おうとした場合で、かつ、メモリーカード１０６から読み出したデータをもとに検索を行なう動作について説明する。
【００３７】
使用者は、携帯端末機器１０３に付属しているメモリーカード装置２１３にデータが記録されているメモリーカード１０６を挿入する。メモリーカード処理部２１４は、メモリーカード１０６からデータＥＣを読み出す。読み出されたデータＥＣは、表示出力処理部２０４を介して表示装置２０６に表示される。使用者は携帯端末機器１０３のボタン入力部１０４を操作し、表示装置２０６に表示されたデータのうち所望のデータの選択操作を行う。選択されたデータはボタン入力ＢＣとして、入力処理部２０３、表示出力処理部２０４、信号変換部２０５を介して、信号出力装置２０７から通信信号ＤＣとしてテレビ受信機１０１へ送信される。
【００３８】
テレビ受信機１０１は、信号受信部２０９で通信信号ＤＣを受信し、入力制御部２１０で通信信号ＤＣを表示できる文字列コードへ変換する。変換する際は、携帯端末機器１０３の文字コード変換テーブルと同様の変換テーブルをテレビ受信機１０１側も持つ必要があり、その文字コード変換テーブルをもとに変換作業を行う。変換された文字列は、表示装置２１２でチューナ２１１からの映像に合成表示させることができる。そして、その表示された文字列をもとに、使用者は、キーワード検索を実施することが可能となるのである。また、ここではデータベースの役割をするメモリーカード１０６を携帯端末機器１０３に挿入しているが、テレビ受信機１０１にメモリーカード１０６を挿入してキーワード検索を行うことも可能である。
【産業上の利用可能性】
【００３９】
本発明の文字入力システムは、使用者が携帯端末機器をインターネットに接続し、インターネットから受信したデータから文字列を抜き出し、その文字列をテレビ受信機に表示させることが可能となり、使用者のボタン操作が少なくなり、不快感を軽減させることができ、テレビ受信機への文字入力手段として有用である。
【図面の簡単な説明】
【００４０】
【図１】本発明の実施の形態１における文字入力システムの外観を示す図
【図２】本発明の実施の形態１における文字入力システムの構成図
【図３】本発明の実施の形態１における携帯端末機器の全体処理フロー図
【図４】本発明の実施の形態１における携帯端末機器の文字抜き出し処理フロー図
【図５】本発明の実施の形態２における文字入力システムの外観を示す図
【図６】本発明の実施の形態２における文字入力システムの構成図
【図７】本発明の実施の形態２における携帯端末機器のメモリーカードへの書き込みを行なう際の全体処理フロー図
【図８】本発明の実施の形態２における携帯端末機器のメモリーカードへの書き込みを行なう際の文字抜き出し処理フロー図
【符号の説明】
【００４１】
１０１    テレビ受信機
１０２    信号受信部
１０３    携帯端末機器
１０４    ボタン入力部
１０５    メモリーカード挿入部
１０６    メモリーカード
２０１    マイコン
２０２    データ処理部
２０３    入力処理部
２０４    表示出力処理部
２０５    信号変換部
２０６    表示装置
２０７    信号出力装置
２０８    マイコン
２０９    信号受信部
２１０    入力制御部
２１１    チューナ
２１２    表示装置
２１３    メモリーカード装置
２１４    メモリーカード処理部
【図１】
2006013560.tif 000003
【図２】
2006013560.tif 000004
【図３】
2006013560.tif 000005
【図４】
2006013560.tif 000006
【図５】
2006013560.tif 000007
【図６】
2006013560.tif 000008
【図７】
2006013560.tif 000009
【図８】
2006013560.tif 000010